(57)【要約】      （修正有）【課題】復元力、耐久性、着用感と美観が優れ、ブラジャーと皮膚間で通風される構造のブラジャーを提供する。【解決手段】本ブラジャーは、ブラジャーカップ１と連結紐４、５とをみんな無毒性シリコンで製造し、ブラジャーカップの内部の縁を傾くように傾斜面２形成する。ブラジャーカップの内部の縁の傾斜面２は、その幅ｄが１〜２ｃｍ程度に形成されるのが好ましい。ブラジャーカップ１と連結紐４、５とは、高周波接着方法により一体で接着されることができる。ブラジャーカップの内部の表面に多数の突起を形成することにより、ブラジャーの内部面が皮膚に直接接触しないで突起のみが皮膚に接触して、ブラジャーと皮膚との間で通風されることができるようにすることもできる。【選択図】図３Ａ
2004339683.tif 000002
【特許請求の範囲】
【請求項１】
ブラジャーカップの内部の縁が傾くように傾斜面（２）を形成し、ブラジャーカップ（１）と連結紐（４、５）とをみんな無毒性シリコンで製造することを特徴とするブラジャー。
【請求項２】
前記の縁の傾斜面（２）は、その幅（ｄ）が１〜２ｃｍ程度に形成されることを特徴とする請求項１に記載のブラジャー。
【請求項３】
前記ブラジャーカップ（１）と連結紐（４、５）とは、高周波接着方法により接着されることを特徴とする請求項１に記載のブラジャー。
【請求項４】
前記ブラジャーカップ（１）の内部面に多数の突起（３）が形成されることを特徴とする請求項１に記載のブラジャー。
【発明の詳細な説明】
【技術分野】
【０００１】
本発明は、ブラジャーに関するものであり、より詳細には水泳やエアロビクス-ダンスのように体を過度に動いたり、またはそのような運動により汗になってもずり落ちがなく、快適に着用することができ、耐久性が優れたブラジャーに関するものである。
ブラジャーは、女性の美しさを強調するとともに女性の胸を保護するための必須的な物品として今まで非常に多様に開発されて用いられている。従来の大部分のブラジャーは、スポンジを原料とするブラジャーカップを外部で布で包み、連結紐と締結部材などからなっている。このような従来のブラジャーは、水泳やエアロビクス−ダンスのような過度な運動で汗をかく場合、汗をそのまま吸収して嫌になったり、またはブラジャーカップのスポンジに水分が吸収されて着用感が落ち、反復的に洗濯して用いる場合にブラジャーカップの復元力が落ちてブラジャーカップの原形を保持し難しいという問題点があった。
【０００２】
ブラジャーカップが易く損傷されたり復元力が喪失されることを防止することができるように、内皮（１１）、網紗（１２）及び外皮（１３）の３重構造からなるブラジャーカップが開示されている（特許文献１参照）。図１は、従来のブラジャーカップの構造を表すための概略的な部分分解斜視図である。図１に図示されたブラジャーカップは、中間層に引張強度を高めることができるように格子状の網紗（１２）を備え、その網紗（１２）の内外面にそれぞれシリコンで製造された内皮（１１）及び外皮（１３）が熱融着により組立てられる。このような構成を有するブラジャーは、洗濯時にブラジャーカップに加えられる引張力を網紗で相殺させることにより、ブラジャーカップが損傷されることをあるほど防止している。しかし、前記ブラジャーは内皮、網紗及び外皮からなることにより、製造工程が複雑になり、完璧な復元力や耐久性を期待することができない。
【特許文献１】韓国特許第３３６８６４号
【０００３】
また、従来のブラジャーはブラジャーカップの厚みが全体的に均一のため、その縁部分も一定な厚みを有する。このようにブラジャーカップの縁が一定な厚みを有するため、ブラジャーを着用した後、水泳服やエアロビクス−ダンス服のように皮膚に密着される着物を着る場合にはブラジャーカップの縁部分が突き出ることになって、よくない美観を表す。
【０００４】
従って、本発明者は、従来のブラジャーが有する前記のような問題点を解決し、ブラジャーの全体を無毒性シリコンで製造することにより、汗の吸収による不快感を除去し、復元力や耐久性が優れ、かつ運動服のような外衣と皮膚との間に密着されるように設計することにより、着用感と美観とが優れた新しいブラジャーを開発することに至る。また、本発明は、ブラジャーカップの内部の表面に多数の突起を形成することにより、ブラジャーの内部面が皮膚に直接接触しないで、突起のみが皮膚に接触してブラジャーと皮膚との間で通風されることができるようにする構造を有するブラジャーも含む。
【発明の開示】
【発明が解決しようとする課題】
【０００５】
本発明の目的は、ブラジャーの全体を無毒性シリコンで製造することにより、汗の吸収による不快感を除去し、復元力や耐久性が優れたブラジャーを提供することにある。
本発明の他の目的は、運動服のような外衣と皮膚との間に密着されるように設計することにより、着用感と美観とが優れたブラジャーを提供することにある。
本発明のまた他の目的は、ブラジャーカップの内部の表面に多数の突起を形成することにより、ブラジャーの内部面が皮膚に直接接触しないで突起のみが皮膚に接触して、ブラジャーと皮膚との間で通風されることができるようにする構造を有するブラジャーを提供することにある。
本発明の前記及びその他の目的は、下記で詳細に説明される本発明によりすべて達成されることができる。
【課題を解決するための手段】
【０００６】
本発明のブラジャーは、ブラジャーカップ（１）と連結紐（４、５）とをみんな無毒性シリコンで製造し、ブラジャーカップの内部の縁を傾くように傾斜面（２）を形成することをその特徴とする。
従来のブラジャーは、ブラジャーカップの厚みが全体的に均一のだめ、その縁部分も一定な厚みを有する。このようにブラジャーカップの縁が一定な厚みを有するので、ブラジャーを着用した後に水泳服やエアロビクス-ダンス服のように皮膚に密着される着物を着る場合、ブラジャーカップの縁部分が突き出ることになって、よくない美観を表す。本発明は、このような問題点を解決してブラジャーの全体を無毒性シリコンで製造し、ブラジャーカップの内部の縁を傾くように傾斜面（２）を形成することにより、汗の吸収による不快感を除去し、復元力や耐久性が優れ、運動服のような外衣と皮膚との間に密着されるように設計することにより、着用感と美観とが優れた新しいブラジャーを製造することができる。
【発明の効果】
【０００７】
本発明は、ブラジャーの全体を無毒性シリコンで製造することにより、汗の吸収による不快感を除去し、復元力や耐久性が優れ、運動服のような外衣と皮膚との間に密着されるように設計することにより、着用感と美観とが優れ、ブラジャーカップの内部の表面に多数の突起を形成することにより、ブラジャーの内部面が皮膚に直接接触しないで突起のみが皮膚に接触してブラジャーと皮膚との間で通風されることができるようにする構造を有するブラジャーを提供する発明の効果を有する。
【０００８】
前記の本発明は、例示された図面を主にした実施例に基づいて説明されたがこれに限定されなく、本発明が属する技術分野で通常の知識を有する者において、本発明の技術的思想を逸脱しない範囲内で多様な変化と変形ができるだけでなく、均等な他の実施例ができるのは明らかである。
【発明を実施するための最良の形態】
【０００９】
図３Ａは、本発明のある具体例に係るブラジャーカップの概略的な断面図である。前記ブラジャーカップの内部の縁の傾斜面（２）は、その幅（ｄ）が１〜２ｃｍ程度に形成されるのが好ましい。
【００１０】
図４は、本発明に係るブラジャーカップで製造されたブラジャーの概略的な斜視図である。ブラジャーカップ（１）と連結紐（４、５）とは、高周波接着方法により一体で接着されることができ、これは本発明が属する技術分野の当業者により容易に実施できる。図４のように、ブラジャーカップ（１）と連結紐（４、５）とがお互いに高周波接着方法により一体で接着されるため、裁縫線のような縫合線が存在しない。従って、本発明は、そのほど着用感もよく、着用後の美観も良好である。連結紐（５）の端部には締結部材（６）が固定されてブラジャーを着用することができるようにする。
【００１１】
図３Ｂは、本発明の他の具体例に係るブラジャーカップの概略的な断面図である。図３（Ｂ）に図示のように、本発明は、ブラジャーカップの内部の表面に多数の突起（３）を形成することにより、ブラジャーの内部面が皮膚に直接接触しないで突起のみが皮膚に接触してブラジャーと皮膚との間で通風されることができるようにする構造を有するブラジャーも含む。ブラジャーカップの内部の表面に多数の突起（３）を形成することは、金型によりでき、これは本発明が属する技術分野の当業者により容易に実施できる。
【００１２】
図５は、本発明のブラジャーカップの着用状態を表す概略的な断面図である。ブラジャーカップの内部の縁を傾くように傾斜面（２）を形成することで皮膚に密着されるようにし、また水泳服（１０）のように密着される外衣を着用する場合、縁部分が外に現れることをなくして着用感と美観とが優れた新しいブラジャーを製造することができる。
【図面の簡単な説明】
【００１３】
【図１】従来のブラジャーカップの構造を表すための概略的な部分分解斜視図である。
【図２】従来のブラジャーカップの概略的な断面図である。
【図３Ａ】本発明のある具体例に係るブラジャーカップの概略的な断面図である。
【図３Ｂ】本発明の他の具体例に係るブラジャーカップの概略的な断面図である。
【図４】本発明に係るブラジャーカップで製造されたブラジャーの概略的な斜視図である。
【図５】本発明のブラジャーカップの着用状態を表す概略的な断面図である。
【符号の説明】
【００１４】
１：ブラジャーカップ
２：縁の傾斜面
３：突起
４、５：連結紐
６：締結部材
１１：内皮
１２：網紗
１３：外皮
【図１】
2004339683.tif 000003
【図２】
2004339683.tif 000004
【図３Ａ】
2004339683.tif 000005
【図３Ｂ】
2004339683.tif 000006
【図４】
2004339683.tif 000007
【図５】
2004339683.tif 000008